(57)【要約】      （修正有）【課題】グリーン傾斜角を読取るセンサーをボールマーカーに組込み、パッティング周辺の傾斜を基準にライン全体の流れを把握し、的確な打ち出し方向を決めるためのデータを提供する。【解決手段】ボールマーカーの芝接触面に長さ数ｍｍの円筒状スカートを設け、芝の葉の生え際に接地する事で組込んだ傾きセンサーの計測誤差を極力押さえた。傾きセンサーはパラボナ形半球上に、自由に転動する鋼球を入れ、その動きを保護するカバーで構成されている。パラボナ形容器の背面には同心円のリングを複数印刷し、ボールの静止位置でグリーン傾斜角が精確に読取れる。【選択図】図５
0003127129.tif 000002
【実用新案登録請求の範囲】
【請求項１】
帽子に固定するクリップを具備したマーカーホルダーにはマグネットがあって、そのマグネットに着脱するボールマーカーの芝接面周辺部には長さ数ｍｍの筒状スカートを設け、前記芝接面中央部には透磁率の高い金属板を固定した事を特徴とするボールマーカー。
【請求項２】
ボールマーカは底の浅いパラボラ形球面の透明容器と、この容器上面には自由に転動する１個の鋼球と、その運動を保護する透明カバーで構成し、前記パラボラ形透明容器と芝接面周辺のスカート部が一体で成形された事を特徴とする請求項１記載のボールマーカー。
【請求項３】
透明カバー側壁の内側上部には鋼球を制動する凹凸と、前記内側の下部には雌形ネジを成形し、パラボラ形透明容器に成形した雄形ネジと契合して固定する事を特徴とした請求項２記載のボールマーカー。
【請求項４】
透磁率の高い金属板表面は色塗装によって、自由転動する鋼球側上面から前記塗装色の識別ができる事を特徴とした請求項１記載のボールマーカー。
【考案の詳細な説明】
【技術分野】
【０００１】        本考案はグリーン傾斜角を読取るセンサーをボールマーカーに組込み、パッティング周辺の傾斜を基準にライン全体の流れを把握し、的確な打ち出し方向を決めるためのデータを提供するものである。
【背景技術】
【０００２】        特願２００５−５０４５０４で記載されている様に、グリーン上でのロングパットはパターのグリップに付けた目盛りを使って最適のテークバック量でパッティングが出来る。しかもグリーンの傾斜方向と同一ラインにカップが切られている場合は、その傾斜量に応じて前述のテークバック量を適宜増減する割合も示している。
しかしグリーンの傾斜方向から外れた斜めもしくは真横方向にカップが切られていると、ボールの転がり軌跡が大きく曲がってパッティングが大変難しくなる。
【考案の開示】
【考案が解決しようとする課題】
【０００３】        パッティングしたボールの曲がり量はカップ位置までのグリーン傾斜角と傾斜方向に対する方位が分かれば大よそ読取れる。そのラインを目測するに当たって目測のスタート位置でもあるボール位置周辺のグリーン傾斜状況の計測は大変重要になる。しかし芝に接するセンサーの面積が小さくなる程、芝の葉の長さ不揃いによる計測誤差が無視し得ない大きな課題があった。
【課題を解決するための手段】
【０００４】        本考案は特願２００５−５０４５０４で記載しているグリーン傾斜角計測技術を使って、ボールマーカーに傾斜角センサーを組込んだ物である。小形・軽量のボールマーカーに精度良く計測できるセンサーを組込むには、芝の葉の不揃いによる影響を回避するため、ボールマーカーの下面にはスカートを設け、芝の生え際であるグリーン地面へ直に接する構造とした。
【考案の効果】
【０００５】        グリーン上に乗せたボールはボールマーカーで位置を明確にした後、拾い上げてゴミを拭き取る事が出来る。この間に傾斜角センサーの鋼球は自由運動の振幅が収斂して所定位置で静止する。拭いたボールを元の位置に戻す際にグリーン傾斜方向と角度及びカップの方位を読み取ってボールマーカーを拾い上げる。
グリーン上でカップまでのアンジュレーションを読み、上記一連の動作によって得たデータからボールの転がり軌跡をイメージし、特願２００５−５０４５０４記載の距離計測法で求めた最適のテークバック量で所定の方向へ打つ事が出来る。
【考案を実施するための最良の形態】
【０００６】        パッティングの精度を上げるには２ｍ以下の距離を確実に入れる事が重要となる。グリーンの傾斜角が大きくなるとカップの方位によって転がるボールの軌跡も大きく変化する。
初速Ｖでパッティングされたボールの運動エネルギーはグリーン傾斜に基づく位置エネルギー変化と転がり抵抗による摩擦熱に分散・消失する一方、ボールは常にグリーン傾斜方向に重力の加速度成分を受けている。
パッティング距離２ｍ、グリーン傾斜方向に対するカップ位置の方位が直角（真横）、４５度上方、４５度下方の場合、傾斜角１°と３°における転がり軌跡の違いをシミュレーションで比較したのが図１、２、３である。
グリーン傾斜角が３°ともなると、ボールはカップの上方からトロトロと転がり込むイメージで打たねばならない事が分かる。
これらの転がり軌跡図は一種の釣竿の曲線に近い。即ち竿の太さはボール速度に、釣った魚の引きがグリーン傾斜角に、竿の上げ角がカップ位置の方位に相当する。
このシュミレーションによるボール転がり軌跡図は実際のプレー現場でも非常に役立つもので、ボールマーカーと一緒にプレーヤの手元にあると便利である。【０００７】        正しいボールの転がり軌跡をイメージするためには正しい裏づけデータの確保が必須である。本考案はボールマーカーの限られた寸法内に精度良く測れるセンサーを組込み、且つ芝のカット状態に左右されない計測誤差を生じにくくする一方、部品点数を極力減らして製造コストに配慮している。
図４はプレーヤの帽子に固定するクリップ１を持ったマーカーホルダー２とこの上面に設けたマグネット３の組立断面図に、ボールマーカー４の断面図を記載することで相互の関係を表している。即ちボールマーカー４は下面にある金属板５とマグネット３で吸着し、グリーン上でボールのマーキングで使用する以外は常に帽子に保持されている。
【実施例１】
【０００８】        図５は本考案のボールマーカーを断面図で示すもので、透明素材で成形したパラボナ形球面容器６の上面に鋼球７を自由転動させ、その動きを保護する透明のカバー８はネジ部９で容器６に固定する。
数ｍｍの長さを持ったスカート部１０と一体成形した球面容器６は、その下面中央に金属板５をネジ止めしている。
カバー８の内側コーナーには凹凸１１を設け、普段はこの隙間に鋼球７が入り込み、グリーン上以外は無駄な動きを止めている。
球面容器６の球面背面部には同心円のリング複数本、例えば０．５°１．５°、２．５°、３．５°相当と十字のクロス線を印刷する。
金属板５の表面は図中３．５°の内側は白塗装をして反射板の機能を持たせ、その外側は赤色塗装することでボールが安定的に静止することの出来ない傾斜角を示唆している。
傾斜角の計測原理は実願２００３−００３９３５に詳述しているのでここでは省略する。
【実施例２】
【０００９】        図６は本考案の応用例で、金属板５とスカート部１０を板金の絞り加工で台座１２を作り、球面容器６の球面部１３をネジで固定するものである。
この他に金属板５もしくは台座１２に各種デザイン図を印刷し、カバー８から見た場合に傾斜角センサーの存在が一見分からないようにすることも出来る。またスカート部先端の円周には一部切欠きを設け、ボールマーカーを回転させながらセッティングすることで、下敷きとなった芝の葉を切断してスカート部を強制的に接地させる方法もある。
【図面の簡単な説明】
【００１０】
【図１】カップまでの距離：２ｍ、  傾斜に対するカップ方位：直角  Ａ）グリーン傾斜角１°のボール転がりシミュレーション図  Ｂ）グリーン傾斜角３°のボール転がりシュミレーション図
【図２】カップまでの距離：２ｍ、  傾斜に対するカップ方位：４５°上方  Ａ）グリーン傾斜角１°のボール転がりシミュレーション図  Ｂ）グリーン傾斜角３°のボール転がりシュミレーション図
【図３】カップまでの距離：２ｍ、  傾斜に対するカップ方位：４５°下方  Ａ）グリーン傾斜角１°のボール転がりシミュレーション図  Ｂ）グリーン傾斜角３°のボール転がりシュミレーション図
【図４】本考案のボールマーカーとマーカーホルダーの相関図  マーカーホルダーの概観を示す
【図５】本考案のボールマーカー断面図  球面容器とスカート部を一体成形したもの
【図６】本考案の応用例  金属板とスカート部を一体成形したもの
【符号の説明】
【００１１】１．  クリップ
２．  マーカーホルダー
３．  マグネット
４．  ボールマーカー
５．  金属板
６．  球面容器
７．  鋼球
８．  カバー
９．  ネジ部
１０．スカート部
１１．カバー内に設けた凹凸
１２．金属板とスカートを一体にした台座
１３．パラボナ形球面に台座結合部を設けた球面部
【図１】
0003127129.tif 000003
【図２】
0003127129.tif 000004
【図３】
0003127129.tif 000005
【図４】
0003127129.tif 000006
【図５】
0003127129.tif 000007
【図６】
0003127129.tif 000008